(57)【特許請求の範囲】
【請求項１】
移送最中の流体を定量化するためのメーター電子機器（２０）であって、
振動式フローメーターのフローメーター組立体と通信し、振動応答を受け取るように構成されているインターフェース（２０１）と、
前記インターフェース（２０１）と結合され、前記流体の移送の前もって決められた時間部分（ｔｉ）における質量流量（ｍｉ）および密度（ρｉ）を測定するように構成されている処理システム（２０３）とを備えており、
前記処理システム（２０３）が、前記前もって決められた時間部分（ｔｉ）における前記流体の移送が気体混入のないものであるか否かを判定し、前記前もって決められた時間部分（ｔｉ）が気体混入のないものである場合、質量流量−密度積（ｍｉρｉ）を累積質量流量−密度積（ｍρａｃｃｕｍ）に加え、前記質量流量（ｍｉ）を累積質量流量（ｍａｃｃｕｍ）に加え、前記累積質量流量−密度積（ｍρａｃｃｕｍ）を前記累積質量流量（ｍａｃｃｕｍ）で除算することにより、前記流体の移送における気体混入のない質量重み付け密度（ρｍａｓｓ−ｗｅｉｇｈｔｅｄ）を求めるように構成されていることを特徴とする、メーター電子機器（２０）。
【請求項２】
前記流体の移送における気体混入のない質量重み付け密度（ρｍａｓｓ−ｗｅｉｇｈｔｅｄ）を求めることが、流体移送終了信号の受信後に行われるように構成されてなる、請求項１に記載のメーター電子機器（２０）。
【請求項３】
前記処理システム（２０３）が、前記前もって決められた時間部分（ｔｉ）の振動応答を前もって決められた気体混入限界と比較し、前記振動応答が前記前もって決められた気体混入限界の条件を満足させていない場合、前記前もって決められた時間部分（ｔｉ）が気体混入のあるものであると判定するようにさらに構成されてなる、請求項１に記載のメーター電子機器（２０）。
【請求項４】
前記処理システム（２０３）が、気体混入のある時間部分を合計して気体混入移送時間（ｔａｅｒａｔｅｄ）を取得し、前記流体の移送の時間部分（ｔｉ）をすべて合計して総移送時間（ｔｔｏｔａｌ）を取得し、前記気体混入移送時間（ｔａｅｒａｔｅｄ）を前記総移送時間（ｔｔｏｔａｌ）で除算したものとして気体混入割合（ｔａｅｒａｔｅｄ／ｔｔｏｔａｌ）を求めるようにさらに構成されてなる、請求項３に記載のメーター電子機器（２０）。
【請求項５】
前記処理システム（２０３）が、気体混入のある質量流量（ｍｉ）の値を合計して気体混入質量流量（ｍａｅｒａｔｅｄ）を取得し、質量流量（ｍｉ）の値をすべて合計して総質量流量（ｍｔｏｔ）を取得し、前記気体混入質量流量（ｍａｅｒａｔｅｄ）を前記総質量流量（ｍｔｏｔ）で除算したものとして気体混入割合（ｍａｅｒａｔｅｄ／ｍｔｏｔ）を求めるようにさらに構成されてなる、請求項３に記載のメーター電子機器（２０）。
【請求項６】
前記処理システム（２０３）が、前記前もって決められた時間部分（ｔｉ）における温度（Ｔｉ）を取得し、前記前もって決められた時間部分（ｔｉ）が気体混入のないものである場合、質量流量−温度積（ｍｉＴｉ）を累積質量流量−温度積（ｍＴａｃｃｕｍ）に加え、前記累積質量流量−温度積（ｍＴａｃｃｕｍ）を前記累積質量流量（ｍａｃｃｕｍ）で除算することにより、前記流体の移送における気体混入のない質量重み付け温度（Ｔｍａｓｓ−ｗｅｉｇｈｔｅｄ）を求めるようにさらに構成されてなる、請求項１に記載のメーター電子機器（２０）。
【請求項７】
前記処理システム（２０３）が、前記気体混入のない質量重み付け温度（Ｔｍａｓｓ−ｗｅｉｇｈｔｅｄ）を用いて、前記気体混入のない質量重み付け密度（ρｍａｓｓ−ｗｅｉｇｈｔｅｄ）を基準密度値に変換するようにさらに構成されてなる、請求項６に記載のメーター電子機器（２０）。
【請求項８】
前記処理システム（２０３）が、前記前もって決められた時間部分（ｔｉ）における流体粘度（μｉ）を取得し、前記前もって決められた時間部分（ｔｉ）が気体混入のないものである場合、質量流量−粘度積（ｍｉμｉ）を前記累積質量流量−粘度積（ｍμａｃｃｕｍ）に加え、前記累積質量流量−粘度積（ｍμａｃｃｕｍ）を前記累積質量流量（ｍａｃｃｕｍ）で除算することにより、前記流体の移送における気体混入のない質量重み付け粘度（μｍａｓｓ−ｗｅｉｇｈｔｅｄ）を求めるようにさらに構成されてなる、請求項１に記載のメーター電子機器（２０）。
【請求項９】
前記処理システム（２０３）が、外部の供給源から前記粘度（μｉ）を受け取るようにさらに構成されてなる、請求項８に記載のメーター電子機器（２０）。
【請求項１０】
前記処理システム（２０３）が、前記振動式フローメーター（５）を用いて前記粘度（μｉ）を測定するようにさらに構成されてなる、請求項８に記載のメーター電子機器（２０）。
【請求項１１】
前記処理システム（２０３）が、前記前もって決められた時間部分（ｔｉ）における流体粘度（μｉ）を取得し、前記前もって決められた時間部分（ｔｉ）が気体混入のないものである場合、質量流量−粘度積（ｍｉμｉ）を累積質量流量−粘度積（ｍμａｃｃｕｍ）に加え、前記累積質量流量−粘度積（ｍμａｃｃｕｍ）を前記累積質量流量（ｍａｃｃｕｍ）で除算することにより、前記流体の移送における気体混入のない質量重み付け粘度（μｍａｓｓ−ｗｅｉｇｈｔｅｄ）を求め、前記気体混入のない質量重み付け温度（Ｔｍａｓｓ−ｗｅｉｇｈｔｅｄ）を用いて、前記気体混入のない質量重み付け粘度（μｍａｓｓ−ｗｅｉｇｈｔｅｄ）を基準粘度値に変換するようにさらに構成されてなる、請求項６に記載のメーター電子機器（２０）。
【請求項１２】
移送最中の流体を定量化するためのメーター電子機器（２０）であって、
振動式フローメーターのフローメーター組立体と通信し、振動応答を受け取るように構成されているインターフェース（２０１）と、
前記インターフェース（２０１）と結合され、前記流体の移送の前もって決められた時間部分（ｔｉ）における質量流量（ｍｉ）を測定するように構成されている処理システム（２０３）とを備えており、
前記処理システム（２０３）が、前記前もって決められた時間部分（ｔｉ）における流体粘度を取得し、前記前もって決められた時間部分（ｔｉ）における前記流体の移送が気体混入のないものであるか否かを判定し、前記前もって決められた時間部分（ｔｉ）が気体混入のないものである場合、質量流量−粘度積（ｍｉμｉ）を累積質量流量−粘度積（ｍμａｃｃｕｍ）に加え、前記質量流量（ｍｉ）を累積質量流量（ｍａｃｃｕｍ）に加え、前記累積質量流量−粘度積（ｍμａｃｃｕｍ）を前記累積質量流量（ｍａｃｃｕｍ）で除算することにより、前記流体の移送における気体混入のない質量重み付け粘度（μｍａｓｓ−ｗｅｉｇｈｔｅｄ）を求めるように構成されていることを特徴とする、メーター電子機器（２０）。
【請求項１３】
前記流体の移送における気体混入のない質量重み付け粘度（μｍａｓｓ−ｗｅｉｇｈｔｅｄ）を求めることが、流体移送終了信号の受信後に行われるように構成されてなる、請求項１２に記載のメーター電子機器（２０）。
【請求項１４】
前記処理システム（２０３）が、前記前もって決められた時間部分（ｔｉ）の振動応答を前もって決められた気体混入限界と比較し、前記振動応答が前記前もって決められた気体混入限界の条件を満足させていない場合、前記前もって決められた時間部分（ｔｉ）が気体混入のあるものであると判定するようにさらに構成されてなる、請求項１２に記載のメーター電子機器（２０）。
【請求項１５】
前記処理システム（２０３）が、気体混入のある時間部分を合計して気体混入移送時間（ｔａｅｒａｔｅｄ）を取得し、前記流体の移送の時間部分（ｔｉ）をすべて合計して総移送時間（ｔｔｏｔａｌ）を取得し、前記気体混入移送時間（ｔａｅｒａｔｅｄ）を前記総移送時間（ｔｏｔａｌ）で除算したものとして気体混入割合（ｔａｅｒａｔｅｄ／ｔｔｏｔａｌ）を求めるようにさらに構成されてなる、請求項１４に記載のメーター電子機器（２０）。
【請求項１６】
前記処理システム（２０３）が、気体混入のある質量流量（ｍｉ）の値を合計して気体混入質量流量（ｍａｅｒａｔｅｄ）を取得し、質量流量（ｍｉ）の値をすべて合計して総質量流量（ｍｔｏｔ）を取得し、前記気体混入質量流量（ｍａｅｒａｔｅｄ）を前記総質量流量（ｍｔｏｔ）で除算したものとして気体混入割合（ｍａｅｒａｔｅｄ／ｍｔｏｔ）を求めるようにさらに構成されてなる、請求項１４に記載のメーター電子機器（２０）。
【請求項１７】
前記処理システム（２０３）が、前記前もって決められた時間部分（ｔｉ）における温度（Ｔｉ）を取得し、前記前もって決められた時間部分（ｔｉ）が気体混入のないものである場合、質量流量−温度積（ｍｉＴｉ）を累積質量流量−温度積（ｍＴａｃｃｕｍ）に加え、前記累積質量流量−温度積（ｍＴａｃｃｕｍ）を前記累積質量流量（ｍａｃｃｕｍ）で除算することにより、前記流体の移送における気体混入のない質量重み付け温度（Ｔｍａｓｓ−ｗｅｉｇｈｔｅｄ）を求めるようにさらに構成されてなる、請求項１２に記載のメーター電子機器（２０）。
【請求項１８】
前記処理システム（２０３）が、前記気体混入のない質量重み付け温度（Ｔｍａｓｓ−ｗｅｉｇｈｔｅｄ）を用いて、前記気体混入のない質量重み付け粘度（μｍａｓｓ−ｗｅｉｇｈｔｅｄ）を基準粘度値に変換するようにさらに構成されてなる、請求項１７に記載のメーター電子機器（２０）。
【請求項１９】
前記処理システム（２０３）が、前記前もって決められた時間部分（ｔｉ）における密度（ρｉ）を測定し、前記前もって決められた時間部分（ｔｉ）が気体混入のないものである場合、質量流量−密度積（ｍｉρｉ）を累積質量流量−密度積（ｍρａｃｃｕｍ）に加え、前記累積質量流量−密度積（ｍρａｃｃｕｍ）を前記累積質量流量（ｍａｃｃｕｍ）で除算することにより、前記流体の移送における気体混入のない質量重み付け密度（ρｍａｓｓ−ｗｅｉｇｈｔｅｄ）を求めるようにさらに構成されてなる、請求項１２に記載のメーター電子機器（２０）。
【請求項２０】
前記処理システム（２０３）が、前記前もって決められた時間部分（ｔｉ）における密度（ρｉ）を測定し、前記前もって決められた時間部分（ｔｉ）が気体混入のないものである場合、質量流量−密度積（ｍｉρｉ）を累積質量流量−密度積（ｍρａｃｃｕｍ）に加え、前記累積質量流量−密度積（ｍρａｃｃｕｍ）を前記累積質量流量（ｍａｃｃｕｍ）で除算することにより、前記流体の移送における気体混入のない質量重み付け密度（ρｍａｓｓ−ｗｅｉｇｈｔｅｄ）を求め、前記気体混入のない質量重み付け温度（Ｔｍａｓｓ−ｗｅｉｇｈｔｅｄ）を用いて、前記気体混入のない質量重み付け密度（ρｍａｓｓ−ｗｅｉｇｈｔｅｄ）を基準密度値に変換するようにさらに構成されてなる、請求項１７に記載のメーター電子機器（２０）。
【請求項２１】
前記処理システム（２０３）が、外部の供給源から前記粘度（μｉ）を受け取るようにさらに構成されてなる、請求項１２に記載のメーター電子機器（２０）。
【請求項２２】
前記処理システム（２０３）が、前記振動式フローメーター（５）を用いて前記粘度（μｉ）を測定するようにさらに構成されてなる、請求項１２に記載のメーター電子機器（２０）。
【請求項２３】
移送最中の流体のための流体定量化方法であって、
前記流体の移送の前もって決められた時間部分（ｔｉ）における質量流量（ｍｉ）および密度（ρｉ）を測定することを含んでおり、
前記測定が振動式フローメーターにより実行され、
前記方法が、
前記流体の移送の前記前もって決められた時間部分（ｔｉ）が気体混入のないものであるか否かを判定することと、
前記前もって決められた時間部分（ｔｉ）が気体混入のないものである場合、質量流量−密度積（ｍｉρｉ）を累積質量流量−密度積（ｍρａｃｃｕｍ）に加え、前記質量流量（ｍｉ）を累積質量流量（ｍａｃｃｕｍ）に加えることと、
前記累積質量流量−密度積（ｍρａｃｃｕｍ）を前記累積質量流量（ｍａｃｃｕｍ）で除算することにより、前記流体の移送における気体混入のない質量重み付け密度（ρｍａｓｓ−ｗｅｉｇｈｔｅｄ）を求めることとを特徴とする、方法。
【請求項２４】
前記流体の移送における気体混入のない質量重み付け密度（ρｍａｓｓ−ｗｅｉｇｈｔｅｄ）を求めることが、流体移送終了信号の受信後に行われる、請求項２３に記載の方法。
【請求項２５】
前記流体の移送が気体混入のないものであるか否かを判定することが、前記前もって決められた時間部分（ｔｉ）の振動応答を前もって決められた気体混入限界と比較することと、前記振動応答が前記前もって決められた気体混入限界の条件を満足させない場合、前記前もって決められた時間部分（ｔｉ）が気体混入のあるものであると判定することとを含んでいる、請求項２３に記載の方法。
【請求項２６】
気体混入のある時間部分を合計して気体混入移送時間（ｔａｅｒａｔｅｄ）を取得することと、前記流体の移送の時間部分（ｔｉ）をすべて合計して総移送時間（ｔｔｏｔａｌ）を取得することと、前記気体混入移送時間（ｔａｅｒａｔｅｄ）を前記総移送時間（ｔｏｔａｌ）で除算したものとして気体混入割合（ｔａｅｒａｔｅｄ／ｔｔｏｔａｌ）を求めることとをさらに含んでいる、請求項２５に記載の方法。
【請求項２７】
気体混入のある質量流量（ｍｉ）の値を合計して気体混入質量流量（ｍａｅｒａｔｅｄ）を取得することと、質量流量（ｍｉ）の値をすべて合計して総質量流量（ｍｔｏｔ）を取得することと、前記気体混入質量流量（ｍａｅｒａｔｅｄ）を前記総質量流量（ｍｔｏｔ）で除算したものとして気体混入割合（ｍａｅｒａｔｅｄ／ｍｔｏｔ）を求めることとをさらに含んでいる、請求項２５に記載の方法。
【請求項２８】
前記前もって決められた時間部分（ｔｉ）における温度（Ｔｉ）を取得することと、前記前もって決められた時間部分（ｔｉ）が気体混入のないものである場合、質量流量−温度積（ｍｉＴｉ）を累積質量流量−温度積（ｍＴａｃｃｕｍ）に加え、前記累積質量流量−温度積（ｍＴａｃｃｕｍ）を前記累積質量流量（ｍａｃｃｕｍ）で除算することにより、前記流体の移送における気体混入のない質量重み付け温度（Ｔｍａｓｓ−ｗｅｉｇｈｔｅｄ）を求めることとをさらに含んでいる、請求項２３に記載の方法。
【請求項２９】
前記気体混入のない質量重み付け温度（Ｔｍａｓｓ−ｗｅｉｇｈｔｅｄ）を用いて、前記気体混入のない質量重み付け密度（ρｍａｓｓ−ｗｅｉｇｈｔｅｄ）を基準密度値に変換することをさらに含んでいる、請求項２８に記載の方法。
【請求項３０】
前記前もって決められた時間部分（ｔｉ）における粘度（μｉ）を取得することと、前記前もって決められた時間部分（ｔｉ）が気体混入のないものである場合、質量流量−粘度積（ｍｉμｉ）を累積質量流量−粘度積（ｍμａｃｃｕｍ）に加え、前記累積質量流量−粘度積（ｍμａｃｃｕｍ）を前記累積質量流量（ｍａｃｃｕｍ）で除算することにより、前記流体の移送における気体混入のない質量重み付け粘度（μｍａｓｓ−ｗｅｉｇｈｔｅｄ）求めることとをさらに含んでいる、請求項２３に記載の方法。
【請求項３１】
前記粘度（μｉ）を取得することが、外部の供給源から前記粘度（μｉ）を受け取ることを含んでいる、請求項３０に記載の方法。
【請求項３２】
前記粘度（μｉ）を取得することが、前記振動式フローメーターを用いて前記粘度（μｉ）を測定することを含んでいる、請求項３０に記載の方法。
【請求項３３】
前記前もって決められた時間部（ｔｉ）における粘度（μｉ）を取得することと、前記前もって決められた時間部分（ｔｉ）が気体混入のないものである場合、質量流量−粘度積（ｍｉμｉ）を累積質量流量−粘度積（ｍμａｃｃｕｍ）に加えることと、前記累積質量流量−粘度積（ｍμａｃｃｕｍ）を前記累積質量流量（ｍａｃｃｕｍ）で除算することにより、前記流体の移送における気体混入のない質量重み付け粘度（μｍａｓｓ−ｗｅｉｇｈｔｅｄ）を求めることと、前記気体混入のない質量重み付け温度（Ｔｍａｓｓ−ｗｅｉｇｈｔｅｄ）を用いて、前記気体混入のない質量重み付け粘度（μｍａｓｓ−ｗｅｉｇｈｔｅｄ）を基準粘度値に変換することとをさらに含んでいる、請求項２８に記載の方法。
【請求項３４】
移送最中の流体のための流体定量化方法であって、
前記方法が、
前記流体の移送の前もって決められた時間部分（ｔｉ）における質量流量（ｍｉ）を測定することを含み、
前記測定が振動式フローメーターによって実行され、
前記方法が、
前記前もって決められた時間部分に（ｔｉ）における粘度（μｉ）を取得することと、
前記流体の移送の前記前もって決められた時間部分（ｔｉ）が気体混入のないものであるか否かを判定することと、
前記前もって決められた時間部分（ｔｉ）が気体混入のないものである場合、質量流量−粘度積（ｍｉμｉ）を累積質量流量−粘度積（ｍμａｃｃｕｍ）に加え、前記質量流量（ｍｉ）を累積質量流量（ｍａｃｃｕｍ）に加えることと、
前記累積質量流量−粘度積（ｍμａｃｃｕｍ）を前記累積質量流量（ｍａｃｃｕｍ）で除算することにより、前記流体の移送における気体混入のない質量重み付け粘度（μｍａｓｓ−ｗｅｉｇｈｔｅｄ）を求めることとを特徴とする、方法。
【請求項３５】
前記流体の移送における気体混入のない質量重み付け粘度（μｍａｓｓ−ｗｅｉｇｈｔｅｄ）を求めることが、流体移送終了信号の受信後に行われる、請求項３４に記載の方法。
【請求項３６】
前記流体の移送が気体混入のないものであるか否かを判定することが、前記前もって決められた時間部分（ｔｉ）の振動応答を前もって決められた気体混入限界と比較することと、前記振動応答が前記前もって決められた気体混入限界の条件を満足させない場合、前記前もって決められた時間部分（ｔｉ）が気体混入のあるものであると判定することとを含んでいる、請求項３４に記載の方法。
【請求項３７】
気体混入のある時間部分を合計して気体混入移送時間（ｔａｅｒａｔｅｄ）を取得することと、前記流体の移送の時間部分（ｔｉ）をすべて合計して総移送時間（ｔｔｏｔａｌ）を取得することと、前記気体混入移送時間（ｔａｅｒａｔｅｄ）を前記総移送時間（ｔｏｔａｌ）で除算したものとして気体混入割合（ｔａｅｒａｔｅｄ／ｔｔｏｔａｌ）を求めることとさらに含んでいる、請求項３６に記載の方法。
【請求項３８】
気体混入のある質量流量（ｍｉ）の値を合計して気体混入質量流量（ｍａｅｒａｔｅｄ）を取得することと、質量流量（ｍｉ）の値をすべて合計して総質量流量（ｍｔｏｔ）を取得することと、前記気体混入質量流量（ｍａｅｒａｔｅｄ）を前記総質量流量（ｍｔｏｔ）で除算したものとして気体混入割合（ｍａｅｒａｔｅｄ／ｍｔｏｔ）を求めることとをさらに含んでいる、請求項３６に記載の方法。
【請求項３９】
前記前もって決められた時間部分（ｔｉ）における温度（Ｔｉ）を取得することと、前記前もって決められた時間部分（ｔｉ）が気体混入のないものである場合、質量流量−温度積（ｍｉＴｉ）を累積質量流量−温度積（ｍＴａｃｃｕｍ）に加えることと、前記累積質量流量−温度積（ｍＴａｃｃｕｍ）を前記累積質量流量（ｍａｃｃｕｍ）で除算することにより、前記流体の移送における気体混入のない質量重み付け温度（Ｔｍａｓｓ−ｗｅｉｇｈｔｅｄ）を求めることとをさらに含んでいる、請求項３４に記載の方法。
【請求項４０】
前記気体混入のない質量重み付け温度（Ｔｍａｓｓ−ｗｅｉｇｈｔｅｄ）を用いて、前記気体混入のない質量重み付け粘度（μｍａｓｓ−ｗｅｉｇｈｔｅｄ）を基準粘度値に変換することをさらに含んでいる、請求項３９に記載の方法。
【請求項４１】
前記前もって決められた時間部分（ｔｉ）における密度（ρｉ）を前記振動式フローメーターが測定することと、
前記前もって決められた時間部分（ｔｉ）が気体混入のないものである場合、質量流量−密度積（ｍｉρｉ）を累積質量流量−密度積（ｍρａｃｃｕｍ）に加えることと、
前記累積質量流量−密度積（ｍρａｃｃｕｍ）を前記累積質量流量（ｍａｃｃｕｍ）で除算することにより、前記流体の移送における気体混入のない質量重み付け密度（ρｍａｓｓ−ｗｅｉｇｈｔｅｄ）を求めることとをさらに含んでいる、請求項３４に記載の方法。
【請求項４２】
前記前もって決められた時間部分（ｔｉ）における密度（ρｉ）を前記振動式フローメーターが測定することと、
前記前もって決められた時間部分（ｔｉ）が気体混入のないものである場合、質量流量−密度積（ｍｉρｉ）を累積質量流量−密度積（ｍρａｃｃｕｍ）に加えることと、
前記累積質量流量−密度積（ｍρａｃｃｕｍ）を前記累積質量流量（ｍａｃｃｕｍ）で除算することにより、前記流体の移送における気体混入のない質量重み付け密度（ρｍａｓｓ−ｗｅｉｇｈｔｅｄ）を求めることと、
前記気体混入のない質量重み付け温度（Ｔｍａｓｓ−ｗｅｉｇｈｔｅｄ）を用いて、前記気体混入のない質量重み付け密度（ρｍａｓｓ−ｗｅｉｇｈｔｅｄ）を基準密度値に変換することとをさらに含んでいる、請求項３９に記載の方法。
【請求項４３】
前記粘度（μｉ）を取得することが、外部の供給源からの前記粘度（μｉ）を受け取ることを含んでいる、請求項３４に記載の方法。
【請求項４４】
前記粘度（μｉ）を取得することが、前記振動式フローメーターを用いて前記粘度（μｉ）を測定することを含んでいる、請求項３４に記載の方法。
【発明の詳細な説明】
【技術分野】
【０００１】
本発明は、振動式フローメーターおよび方法に関するものであり、とくに移送最中の流体のための電子機器および流体定量化方法に関するものである。
【背景技術】
【０００２】
コリオリ質量流量計および振動式デンシトメーターの如き振動導管センサーは一般に、流れる物質を収容して振動する導管の運動を検出するように動作する。質量流量、密度などの如き導管内の物質に関する特性は、導管に接続されている運動トランスデューサから受信する測定信号を処理することにより求めることができる。物質を収容して振動するシステムの振動モードは一般に、収容している導管およびその導管に収容されている物質の質量、剛性および減衰を組み合わせた特性から影響を受ける。
【０００３】
典型的なコリオリ質量流量計は、配管または他の移送システムにインラインで接続されているとともに、システム内のたとえば流体、スラリー、エマルジョンなどの物質を移送する一または複数の導管を有している。各導管は、たとえば単純曲げモード、ねじれモード、ラジアルモードおよび結合モードを含む一組の固有振動モードを有しているものと考えることができる。コリオリ質量流量測定の典型的な用途では、物質が導管を流れているときに、導管が１つ以上の振動モードで励振され、この導管の運動が導管にそって間隔をおいて位置する複数の部位で測定される。励振は、導管を周期的に摂動するボイスコイルタイプのドライバーの如き電気機械デバイスのようなアクチュエータによって通常引き起こされる。複数のトランスデューサ位置における運動と運動との間の遅延時間または位相差を測定することによって質量流量を求めることができる。このような２つのトランスデューサ（または、ピックオフセンサー）が、１つ以上のフロー導管の振動応答を測定するために通常用いられており、また、アクチュエータの上流側または下流側の位置に通常設けられている。２つのピックオフセンサーは電子計装装置に接続されている。この計装装置は、２つのピックオフセンサーから信号を受信し、質量流量測定値などを導出するためにこれらの信号を処理する。したがって、コリオリ質量流量計およびデンシトメーターを含む振動式フローメーターには、流体を測定するために加振される１つ以上のフローチューブが用いられている。
【０００４】
バンカリングとは、バンカー燃料として知られている船舶用燃料油を格納および移送することである。船舶に燃料を供給する場合、陸地から船舶まで燃料を移送する目的で、大量の燃料がバージまたは他のコンテナに一時的に格納されるようになっていてもよい。バンカーは、ドックもしくは他のポート設備に設置されてもよいし、または、バージもしくは他の燃料補給船舶によって運ばれるようになっていてもよい。バンカリング中、燃料の測定には、空−満タン−空バッチプロセス（ｅｍｐｔｙ−ｆｕｌｌ−ｅｍｐｔｙ  ｂａｔｃｈｉｎｇ  ｐｒｏｃｅｓｓ）が通常含まれ、燃料内への気体の混入を可能としてしまっている。
【０００５】
従来の燃料油バンカリング方法は、タンクの容積測定に基づくものであり、通常、実験室でサンプルを用いて基準密度が取得されている。伝統的に、タンクレベル測定またはテープ浸漬測定と併せて、ルックアップテーブルおよび基準密度測定を用いて、移送されたバンカー燃料の総質量が算出される。従来技術の測定精度は、温度、圧力、混入ガスの有無、浸漬されたテープの測定誤差または不確かさ、タンク容量の不確かさ、換算表の精度、人的誤差、密度サンプルが平均バッチ密度をどの程度良好に表わすものであるのかなどによって異なる。さらに、重質燃料油（ＨＦＯ）は、時間の経過とともに層状になる傾向があるので、成分が分離し、異なった密度、粘度などを有する恐れがある。
【０００６】
燃料移送作業にとって、総質量流量が最も重要な測定であるものの、密度および粘度も必要である。というのは、密度および粘度が燃料油の品質または等級の重要な尺度となるからである。一般的に、密度および粘度が高ければ高いほど、移送される燃料の品質は低くなる。密度および粘度についての情報は、個々のエンジンに対して理想的な燃料を用いることを担保するために不可欠なものである。それに加えて、顧客は、流体移送のうちのどれだけの部分に気体が混入しているかを測定したいであろう。このような測定の結果から、移送最中の燃料の見掛け上の体積を増やすために燃料に故意に気体を混入させているか否かが分かるようになる。
【発明の概要】
【発明が解決しようとする課題】
【０００７】
従来技術では、バンカー燃料の密度および粘度を求めるための現行の方法では、バンカリング作業中にサンプルが採取され、そのサンプルが実験室に送られて分析される。残念なことには、実験室での解析には通常数日かかってしまい、それまでには、燃料は船舶に移送され、消費されている。さらに、燃料油は、タンク内で層状になり、最も高い粘度および密度を有する低い等級の燃料を底に沈降させ、高い品質の燃料を上層に留めおく傾向がある。１つのサンプルのみでは、バッチ全体の平均密度または平均粘度を求めることはできない。
【課題を解決するための手段】
【０００８】
本発明の１つの態様では、移送最中の流体を定量化するためのメーター電子機器は、
振動式フローメーターのフローメーター組立体と通信し、振動応答を受け取るように構成されているインターフェースと、このインターフェースと結合されている処理システムとを備えており、当該処理システムは、流体移送の前もって決められた時間部分（ｔｉ）における質量流量（ｍｉ）および密度（ρｉ）を測定し、流体移送の前もって決められた時間部分（ｔｉ）が気体混入のないものであるか否かを判定し、前もって決められた時間部分（ｔｉ）が気体混入のないものである場合、質量−密度積（ｍｉρｉ）を累積質量−密度積（ｍρａｃｃｕｍ）に加え、質量流量（ｍｉ）を累積質量流量（ｍａｃｃｕｍ）に加え、累積質量−密度積（ｍρａｃｃｕｍ）を累積質量流量（ｍａｃｃｕｍ）で除算することにより、流体移送における気体混入のない質量重み付け密度（ρｍａｓｓ−ｗｅｉｇｈｔｅｄ）を求めるように構成されている。
【０００９】
好ましくは、流体移送における気体混入のない質量重み付け密度（ρｍａｓｓ−ｗｅｉｇｈｔｅｄ）を求めることが、流体移送終了信号の受信後に行われる。
【００１０】
好ましくは、処理システムは、前もって決められた時間部分（ｔｉ）の振動応答を前もって決められた気体混入限界と比較し、振動応答が前もって決められた気体混入限界の条件を満足させていない場合、前もって決められた時間部分（ｔｉ）が気体混入のあるものであると判定するようにさらに構成されている。
【００１１】
好ましくは、処理システムは、気体混入のある時間部分を合計して気体混入移送時間（ｔａｅｒａｔｅｄ）を取得し、流体移送の時間部分（ｔｉ）をすべて合計して総移送時間（ｔｔｏｔａｌ）を取得し、気体混入移送時間（ｔａｅｒａｔｅｄ）を総移送時間（ｔｔｏｔａｌ）で除算したものとして気体混入割合（ｔａｅｒａｔｅｄ／ｔｔｏｔａｌ）を求めるようにさらに構成されている。
【００１２】
好ましくは、処理システムは、気体混入のある質量流量（ｍｉ）の値を合計して気体混入質量流量（ｍａｅｒａｔｅｄ）を取得し、質量流量（ｍｉ）の値をすべて合計して総質量流量（ｍｔｏｔ）を取得し、気体混入質量流量（ｍａｅｒａｔｅｄ）を総質量流量（ｍｔｏｔ）で除算したものとして気体混入割合（ｍａｅｒａｔｅｄ／ｍｔｏｔ）を求めるようにさらに構成されている。
【００１３】
好ましくは、処理システムは、前もって決められた時間部分（ｔｉ）における温度（Ｔｉ）を取得し、前もって決められた時間部分（ｔｉ）が気体混入のないものである場合、質量−温度積（ｍｉＴｉ）を累積質量−温度積（ｍＴａｃｃｕｍ）に加え、累積質量−温度積（ｍＴａｃｃｕｍ）を累積質量流量（ｍａｃｃｕｍ）で除算することにより、流体移送における気体混入のない質量重み付け温度（Ｔｍａｓｓ−ｗｅｉｇｈｔｅｄ）を求めるようにさらに構成されている。
【００１４】
好ましくは、処理システムは、気体混入のない質量重み付け密度（ρｍａｓｓ−ｗｅｉｇｈｔｅｄ）を用いて、気体混入のない質量重み付け密度（ρｍａｓｓ−ｗｅｉｇｈｔｅｄ）を基準密度値に変換するようにさらに構成されている。
【００１５】
好ましくは、処理システムは、前もって決められた時間部分（ｔｉ）における流体粘度（μｉ）を取得し、前もって決められた時間部分（ｔｉ）が気体混入のないものである場合、質量−粘度積（ｍｉμｉ）を累積質量−粘度積（ｍμａｃｃｕｍ）に加え、累積質量−粘度積（ｍμａｃｃｕｍ）を累積質量流量（ｍａｃｃｕｍ）で除算することにより、流体移送における気体混入のない質量重み付け粘度（μｍａｓｓ−ｗｅｉｇｈｔｅｄ）を求めるようにさらに構成されている。
【００１６】
好ましくは、処理システムは、外部の供給源から粘度（μｉ）を受け取るようにさらに構成されている。
【００１７】
好ましくは、処理システムは、振動式フローメーターを用いて粘度（μｉ）を測定するようにさらに構成されている。
【００１８】
好ましくは、処理システムは、前もって決められた時間部分（ｔｉ）における流体粘度（μｉ）を取得し、前もって決められた時間部分（ｔｉ）が気体混入のないものである場合、質量−粘度積（ｍｉμｉ）を累積質量−粘度積（ｍμａｃｃｕｍ）に加え、累積質量−粘度積（ｍμａｃｃｕｍ）を累積質量流量（ｍａｃｃｕｍ）で除算することにより、流体移送における気体混入のない質量重み付け粘度（μｍａｓｓ−ｗｅｉｇｈｔｅｄ）を求め、気体混入のない質量重み付け温度（Ｔｍａｓｓ−ｗｅｉｇｈｔｅｄ）を用いて、気体混入のない質量重み付け粘度（μｍａｓｓ−ｗｅｉｇｈｔｅｄ）を基準粘度値に変換するようにさらに構成されている。
【００１９】
本発明の１つの態様では、移送最中の流体を定量化するためのメーター電子機器は、振動式フローメーターのフローメーター組立体と通信し、振動応答を受け取るように構成されているインターフェースと、このインターフェースと結合されている処理システムとを備えており、当該処理システムは、流体移送の前もって決められた時間部分（ｔｉ）における質量流量（ｍｉ）を測定し、前もって決められた時間部分（ｔｉ）において流体粘度を取得し、流体移送の前もって決められた時間部分（ｔｉ）が気体混入のないものであるか否かを判定し、前もって決められた時間部分（ｔｉ）が気体混入のないものである場合、質量−粘度積（ｍｉμｉ）を累積質量−粘度積（ｍμａｃｃｕｍ）に加え、質量流量（ｍｉ）を累積質量流量（ｍａｃｃｕｍ）に加え、累積質量−粘度積（ｍμａｃｃｕｍ）を累積質量流量（ｍａｃｃｕｍ）で除算することにより、流体移送における気体混入のない質量重み付け粘度（μｍａｓｓ−ｗｅｉｇｈｔｅｄ）を求めるように構成されている。
【００２０】
好ましくは、流体移送における気体混入のない質量重み付け粘度（μｍａｓｓ−ｗｅｉｇｈｔｅｄ）を求めることが、流体移送終了信号の受信後に行われる。
【００２１】
好ましくは、処理システムは、前もって決められた時間部分（ｔｉ）の振動応答を前もって決められた気体混入限界と比較し、振動応答が前もって決められた気体混入限界の条件を満足させていない場合、前もって決められた時間部分（ｔｉ）が気体混入のあるものであると判定するようにさらに構成されている。
【００２２】
好ましくは、処理システムは、気体混入のある時間部分を合計して気体混入移送時間（ｔａｅｒａｔｅｄ）を取得し、流体移送の時間部分（ｔｉ）をすべて合計して総移送時間（ｔｔｏｔａｌ）を取得し、気体混入移送時間（ｔａｅｒａｔｅｄ）を総移送時間（ｔｏｔａｌ）で除算したものとして気体混入割合（ｔａｅｒａｔｅｄ／ｔｔｏｔａｌ）を求めるようにさらに構成されている。
【００２３】
好ましくは、処理システムは、気体混入のある質量流量（ｍｉ）の値を合計して気体混入質量流量（ｍａｅｒａｔｅｄ）を取得し、質量流量（ｍｉ）の値をすべて合計して総質量流量（ｍｔｏｔ）を取得し、気体混入質量流量（ｍａｅｒａｔｅｄ）を総質量流量（ｍｔｏｔ）で除算したものとして気体混入割合（ｍａｅｒａｔｅｄ／ｍｔｏｔ）を求めるようにさらに構成されている。
【００２４】
好ましくは、処理システムは、前もって決められた時間部分（ｔｉ）における温度（Ｔｉ）を取得し、前もって決められた時間部分（ｔｉ）が気体混入のないものである場合、質量−温度積（ｍｉＴｉ）を累積質量−温度積（ｍＴａｃｃｕｍ）に加え、累積質量−温度積（ｍＴａｃｃｕｍ）を累積質量流量（ｍａｃｃｕｍ）で除算することにより、流体移送における気体混入のない質量重み付け温度（Ｔｍａｓｓ−ｗｅｉｇｈｔｅｄ）を求めるようにさらに構成されている。
【００２５】
好ましくは、処理システムは、気体混入のない質量重み付け温度（Ｔｍａｓｓ−ｗｅｉｇｈｔｅｄ）を用いて、気体混入のない質量重み付け粘度（μｍａｓｓ−ｗｅｉｇｈｔｅｄ）を基準粘度値に変換するようにさらに構成されている。
【００２６】
好ましくは、処理システムは、前もって決められた時間部分（ｔｉ）における密度（ρｉ）を測定し、前もって決められた時間部分（ｔｉ）が気体混入のないものである場合、質量−密度積（ｍｉρｉ）を累積質量−密度積（ｍρａｃｃｕｍ）に加え、累積質量−密度積（ｍρａｃｃｕｍ）を累積質量流量（ｍａｃｃｕｍ）で除算することにより、流体移送における気体混入のない質量重み付け密度（ρｍａｓｓ−ｗｅｉｇｈｔｅｄ）を求めるようにさらに構成されている。
【００２７】
好ましくは、処理システムは、前もって決められた時間部分（ｔｉ）における密度（ρｉ）を測定し、前もって決められた時間部分（ｔｉ）が気体混入のないものである場合、質量−密度積（ｍｉρｉ）を累積質量−密度積（ｍρａｃｃｕｍ）に加え、累積質量−密度積（ｍρａｃｃｕｍ）を累積質量流量（ｍａｃｃｕｍ）で除算することにより、流体移送における気体混入のない質量重み付け密度（ρｍａｓｓ−ｗｅｉｇｈｔｅｄ）を求め、気体混入のない質量重み付け温度（Ｔｍａｓｓ−ｗｅｉｇｈｔｅｄ）を用いて、気体混入のない質量重み付け密度（ρｍａｓｓ−ｗｅｉｇｈｔｅｄ）を基準密度値に変換するようにさらに構成されている。
【００２８】
好ましくは、処理システムは、外部の供給源から粘度（μｉ）を受け取るようにさらに構成されている。
【００２９】
好ましくは、処理システムは、振動式フローメーターを用いて粘度（μｉ）を測定するようにさらに構成されている。
【００３０】
本発明の１つの態様では、移送最中の流体のための流体定量化方法は、流体移送の前もって決められた時間部分（ｔｉ）における質量流量（ｍｉ）および密度（ρｉ）を振動式フローメーターが測定することと、流体移送の前もって決められた時間部分（ｔｉ）が気体混入のないものであるか否かを判定することと、前もって決められた時間部分（ｔｉ）が気体混入のないものである場合、質量−密度積（ｍｉρｉ）を累積質量−密度積（ｍρａｃｃｕｍ）に加え、質量流量（ｍｉ）を累積質量流量（ｍａｃｃｕｍ）に加えることと、累積質量−密度積（ｍρａｃｃｕｍ）を累積質量流量（ｍａｃｃｕｍ）で除算することにより、流体移送における気体混入のない質量重み付け密度（ρｍａｓｓ−ｗｅｉｇｈｔｅｄ）を求めることとを含んでいる。
【００３１】
好ましくは、流体移送における気体混入のない質量重み付け密度（ρｍａｓｓ−ｗｅｉｇｈｔｅｄ）を求めることは、流体移送終了信号の受信後に行われる。
【００３２】
好ましくは、流体移送が気体混入のないものであるか否かを判定することは、前もって決められた時間部分（ｔｉ）の振動応答を前もって決められた気体混入限界と比較することと、振動応答が前もって決められた気体混入限界の条件を満足させない場合、前もって決められた時間部分（ｔｉ）が気体混入のあるものであると判定することとを含んでいる。
【００３３】
好ましくは、気体混入のある時間部分を合計して気体混入移送時間（ｔａｅｒａｔｅｄ）を取得することと、流体移送の時間部分（ｔｉ）をすべて合計して総移送時間（ｔｔｏｔａｌ）を取得することと、気体混入移送時間（ｔａｅｒａｔｅｄ）を総移送時間（ｔｏｔａｌ）で除算したものとして気体混入割合（ｔａｅｒａｔｅｄ／ｔｔｏｔａｌ）を求めることとをさらに含んでいる。
【００３４】
好ましくは、気体混入のある質量流量（ｍｉ）の値を合計して気体混入質量流量（ｍａｅｒａｔｅｄ）を取得することと、質量流量（ｍｉ）の値をすべて合計して総質量流量（ｍｔｏｔ）を取得することと、気体混入質量流量（ｍａｅｒａｔｅｄ）を総質量流量（ｍｔｏｔ）で除算したものとして気体混入割合（ｍａｅｒａｔｅｄ／ｍｔｏｔ）を求めることとをさらに含んでいる。
【００３５】
好ましくは、前もって決められた時間部分（ｔｉ）における温度（Ｔｉ）を取得することと、前もって決められた時間部分（ｔｉ）が気体混入のないものである場合、質量−温度積（ｍｉＴｉ）を累積質量−温度積（ｍＴａｃｃｕｍ）に加えることと、累積質量−温度積（ｍＴａｃｃｕｍ）を累積質量流量（ｍａｃｃｕｍ）で除算することにより、流体移送における気体混入のない質量重み付け温度（Ｔｍａｓｓ−ｗｅｉｇｈｔｅｄ）を求めることとをさらに含んでいる。
【００３６】
好ましくは、気体混入のない質量重み付け温度（Ｔｍａｓｓ−ｗｅｉｇｈｔｅｄ）を用いて、気体混入のない質量重み付け密度（ρｍａｓｓ−ｗｅｉｇｈｔｅｄ）を基準密度値に変換することとをさらに含んでいる。
【００３７】
好ましくは、前もって決められた時間部分（ｔｉ）における粘度（μｉ）を取得することと、前もって決められた時間部分（ｔｉ）が気体混入のないものである場合、質量−粘度積（ｍｉμｉ）を累積質量−粘度積（ｍμａｃｃｕｍ）に加えることと、累積質量−粘度積（ｍμａｃｃｕｍ）を累積質量流量（ｍａｃｃｕｍ）で除算することにより、流体移送における気体混入のない質量重み付け粘度（μｍａｓｓ−ｗｅｉｇｈｔｅｄ）を求めることとをさらに含んでいる。
【００３８】
好ましくは、粘度（μｉ）を取得することは、外部の供給源から粘度（μｉ）を受け取ることを含んでいる。
【００３９】
好ましくは、粘度（μｉ）を取得することは、振動式フローメーターを用いて粘度（μｉ）を測定することを含んでいる。
【００４０】
好ましくは、前もって決められた時間部分（ｔｉ）における粘度（μｉ）を取得することと、前もって決められた時間部分（ｔｉ）が気体混入のないものである場合、質量−粘度積（ｍｉμｉ）を累積質量−粘度積（ｍμａｃｃｕｍ）に加えることと、累積質量−粘度積（ｍμａｃｃｕｍ）を累積質量流量（ｍａｃｃｕｍ）で除算することにより、流体移送における気体混入のない質量重み付け粘度（μｍａｓｓ−ｗｅｉｇｈｔｅｄ）を求めることと、気体混入のない質量重み付け温度（Ｔｍａｓｓ−ｗｅｉｇｈｔｅｄ）を用いて、気体混入のない質量重み付け粘度（μｍａｓｓ−ｗｅｉｇｈｔｅｄ）を基準粘度値に変換することとをさらに含んでいる。
【００４１】
本発明の１つの態様では、移送最中の流体のための流体定量化方法は、流体移送の前もって決められた時間部分（ｔｉ）における質量流量（ｍｉ）を振動式フローメーターが測定することと、前もって決められた時間部分（ｔｉ）における粘度（μｉ）を取得することと、流体移送の前もって決められた時間部分（ｔｉ）が気体混入のないものであるか否かを判定することと、前もって決められた時間部分（ｔｉ）が気体混入のないものである場合、質量−粘度積（ｍｉμｉ）を累積質量−粘度積（ｍμａｃｃｕｍ）に加え、質量流量（ｍｉ）を累積質量流量（ｍａｃｃｕｍ）に加えることと、累積質量−粘度積（ｍμａｃｃｕｍ）を累積質量流量（ｍａｃｃｕｍ）で除算することにより、流体移送における気体混入のない質量重み付け粘度（μｍａｓｓ−ｗｅｉｇｈｔｅｄ）を求めることとを含んでいる。
【００４２】
好ましくは、流体移送における気体混入のない質量重み付け粘度（μｍａｓｓ−ｗｅｉｇｈｔｅｄ）を求めることが、流体移送終了信号の受信後に行われる。
【００４３】
好ましくは、流体移送が気体混入のないものであるか否かを判定することは、前もって決められた時間部分（ｔｉ）の振動応答を前もって決められた気体混入限界と比較することと、振動応答が前もって決められた気体混入限界の条件を満たさない場合、前もって決められた時間部分（ｔｉ）が気体混入のあるものであると判定することとを含んでいる。
【００４４】
好ましくは、気体混入のある時間部分を合計して気体混入移送時間（ｔａｅｒａｔｅｄ）を取得することと、流体移送の時間部分（ｔｉ）をすべて合計して総移送時間（ｔｔｏｔａｌ）を取得することと、気体混入移送時間（ｔａｅｒａｔｅｄ）を総移送時間（ｔｏｔａｌ）で除算したものとして気体混入割合（ｔａｅｒａｔｅｄ／ｔｔｏｔａｌ）を求めることとをさらに含んでいる。
【００４５】
好ましくは、気体混入のある質量流量（ｍｉ）の値を合計して気体混入質量流量（ｍａｅｒａｔｅｄ）を取得することと、質量流量（ｍｉ）の値をすべて合計して総質量流量（ｍｔｏｔ）を取得することと、気体混入質量流量（ｍａｅｒａｔｅｄ）を総質量流量（ｍｔｏｔ）で除算したものとして気体混入割合（ｍａｅｒａｔｅｄ／ｍｔｏｔ）を求めることとをさらに含んでいる。
【００４６】
好ましくは、前もって決められた時間部分（ｔｉ）における温度（Ｔｉ）を取得することと、前もって決められた時間部分（ｔｉ）が気体混入のないものである場合、累積質量−温度積（ｍＴａｃｃｕｍ）に質量−温度積（ｍｉＴｉ）を加えることと、累積質量−温度積（ｍＴａｃｃｕｍ）を累積質量流量（ｍａｃｃｕｍ）で除算することにより、流体移送における気体混入のない質量重み付け温度（Ｔｍａｓｓ−ｗｅｉｇｈｔｅｄ）を求めることとをさらに含んでいる。
【００４７】
好ましくは、気体混入のない質量重み付け温度（Ｔｍａｓｓ−ｗｅｉｇｈｔｅｄ）を用いて、気体混入のない質量重み付け粘度（μｍａｓｓ−ｗｅｉｇｈｔｅｄ）を基準粘度値に変換することをさらに含んでいる。
【００４８】
好ましくは、前もって決められた時間部分（ｔｉ）における密度（ρｉ）を振動式フローメーターが測定することと、前もって決められた時間部分（ｔｉ）が気体混入のないものである場合、質量−密度積（ｍｉρｉ）を累積質量−密度積（ｍρａｃｃｕｍ）に加えることと、累積質量−密度積（ｍρａｃｃｕｍ）を累積質量流量（ｍａｃｃｕｍ）で除算することにより、流体移送における気体混入のない質量重み付け密度（ρｍａｓｓ−ｗｅｉｇｈｔｅｄ）を求めることとをさらに含んでいる。
【００４９】
好ましくは、前もって決められた時間部分（ｔｉ）の密度（ρｉ）を振動式フローメーターが測定することと、前もって決められた時間部分（ｔｉ）が気体混入のないものである場合、質量−密度積（ｍｉρｉ）を累積質量−密度積（ｍρａｃｃｕｍ）に加えることと、累積質量−密度積（ｍρａｃｃｕｍ）を累積質量流量（ｍａｃｃｕｍ）で除算することにより、流体移送における気体混入のない質量重み付け密度（ρｍａｓｓ−ｗｅｉｇｈｔｅｄ）を求めることと、気体混入のない質量重み付け温度（Ｔｍａｓｓ−ｗｅｉｇｈｔｅｄ）を用いて、気体混入のない質量重み付け密度（ρｍａｓｓ−ｗｅｉｇｈｔｅｄ）を基準密度値に変換することとをさらに含んでいる。
【００５０】
好ましくは、粘度（μｉ）を取得することは、外部の供給源から粘度（μｉ）を受け取ることを含んでいる。
【００５１】
好ましくは、粘度（μｉ）を取得することは、振動式フローメーターを用いて粘度（μｉ）を測定することを含んでいる。
【図面の簡単な説明】
【００５２】
【図１】本発明にかかる振動式フローメーターを示す図である。
【図２】本発明にしたがったバンカー燃料の移送を示す図である。
【図３】本発明にかかる振動式フローメーターのメーター電子機器を示すブロックダイヤグラムである。
【図４】本発明にしたがって移送される流体のための流体定量化方法を示すフローチャートである。
【発明を実施するための形態】
【００５３】
図１〜図４および下記の記載には、本発明を最良のモードで作成および利用する方法を当業者に教示するための実施例が示されている。本発明の原理を教示するために、従来技術に属する部分が単純化または省略されている。本発明の技術範囲内に含まれるこれらの実施例の変形例も、当業者は理解できるだろう。また、当業者にとって明らかなように、下記の記載の構成要素をさまざまな方法で組み合わせて本発明の複数の変形例を形成することもできる。したがって、本発明は、下記に記載の特定の実施形態に限定されるものではなく、特許請求の範囲およびその均等物によってのみ限定されるものである。
【００５４】
図１には、本発明にかかる振動式フローメーター５が示されている。振動式フローメーター５は、フローメーター組立体１０と、メーター電子機器２０とを備えている。メーター電子機器２０は、リード線１００を通じてメーター組立体１０へ接続され、密度、質量流量、体積流量、トータル質量流量、温度および他の測定量もしくは情報のうちの一つ以上の測定結果を通信経路２６を通じて提供するように構成されている。振動式フローメーター５はコリオリ質量流量計であってもよい。それに加えてまたはそれに代えて、振動式フローメーター５は振動式デンシトメーターであってもよいことはいうまでもない。当業者にとって明らかなように、振動式フローメーターは、ドライバーの数、ピックオフセンサーの数、フロー導管の数または振動動作モードにかかわらず、いかなる振動式フローメーターであってもよい。
【００５５】
フローメーター組立体１０は、一対のフランジ１０１、１０１’と、マニホルド１０２、１０２’と、ドライバー１０４と、ピックオフセンサー１０５、１０５’と、フロー導管１０３Ａ、１０３Ｂとを備えている。ドライバー１０４およびピックオフセンサー１０５、１０５’は、フロー導管１０３Ａ、１０３Ｂに接続されている。
【００５６】
フランジ１０１、１０１’はマニホルド１０２、１０２’に固定されている。実施形態によっては、マニホルド１０２、１０２’は、スペーサ１０６の両端に固定されている場合もある。スペーサ１０６は、配管の力がフロー導管１０３Ａ、１０３Ｂの内部に伝達されないように、マニホルド１０２とマニホルド１０２’との間の間隔を維持している。測定される流動流体を運ぶ配管（図示せず）の中にフローメーター組立体１０が挿入されると、流動流体がフランジ１０１を通ってフローメーター組立体１０の中に流入し、流入口マニホルド１０２を通り、ここで流動流体の全量がフロー導管１０３Ａ、１０３Ｂの中に導入され、フロー導管１０３Ａ、１０３Ｂを流れ、流出口マニホルド１０２’の中へ流れ込み、ここでフランジ１０１’からメーター組立体１０の外へと流出する。
【００５７】
流動流体は液体であってもよい。流動流体はガスであってもよい。流動流体は、混入したガスおよび／または混入した固体を含有する液体の如き多相流体であってもよい。
【００５８】
フロー導管１０３Ａ、１０３Ｂは、曲げ軸線Ｗ−Ｗ、Ｗ’−Ｗ’に対して実質的に同一の質量分布、慣性モーメントおよび弾性モジュールを有するように、流入口マニホルド１０２および流出口マニホルド１０２’に対し、適切に選択され、取り付けられる。フロー導管１０３Ａ、１０３Ｂは、マニホルド１０２、１０２’から外側に向けてほぼ並列に延出している。
【００５９】
フロー導管１０３Ａ、１０３Ｂは、それぞれ対応する曲げ軸線Ｗ、Ｗ’を中心としてかつ振動式フローメーター５のいわゆる第一の逆位相曲げモードで、互に反対方向に向けてドライバー１０４により振動させられる。ドライバー１０４は、たとえばマグネットをフロー導管１０３Ａに取り付け、それと対をなすコイルをフロー導管１０３Ｂに取り付けた構成の如き複数の公知の構成のうちの一つの構成を有していてもよい。この対をなすコイルに交流を流して両方の導管を振動させる。メーター電子機器２０により、適切な駆動信号がリード線１１０を通じてドライバー１０４へ加えられる。他のドライバデバイスも考えられており、それらもまた本明細書および請求項の技術範囲に含まれる。
【００６０】
メーター電子機器２０は、リード線１１１およびリード線１１１’からそれぞれセンサー信号を受信する。メーター電子機器２０はリード線１１０上に駆動信号を発生し、この信号により、ドライバー１０４はフロー導管１０３Ａ、１０３Ｂを振動させる。他のセンサーデバイスも考えられており、それらもまた本明細書および請求項の技術範囲に含まれる。
【００６１】
メーター電子機器２０は、ピックオフセンサー１０５、１０５’からの左側速度信号および右側速度信号を処理し、流量などを計算する。通信経路２６は、メーター電子機器２０にオペレータまたは他の電子装置との通信を可能とさせる入力手段および出力手段を提供している。図１の記載は、コリオリフローメータの動作の一例に過ぎず、本発明の教示を限定するものではない。
【００６２】
１つの実施形態では、メーター電子機器２０は、フローチューブ１０３Ａ、１０３Ｂを振動させるように構成されている。かかる振動はドライバー１０４によって実現される。また、メーター電子機器２０はさらに、その結果として生じる振動信号をピックオフセンサー１０５、１０５’から受信する。振動信号は、フローチューブ１０３Ａ、１０３Ｂの振動応答を含んでいる。メーター電子機器２０は、振動応答を処理し、応答周波数および／または位相差を求める。メーター電子機器２０は、振動応答を処理し、流動流体の質量流量および／または密度を含む１つ以上のフロー（流れ）に関する測定値を求める。他の振動応答特性および／またはフローに関する測定値も考えられており、それらもまた本明細書および請求項の技術範囲に含まれる。
【００６３】
１つの実施形態では、フロー導管１０３Ａ、１０３Ｂは図示されているようなほぼＵ字形のフロー導管であってもよい。それに代えて、他の実施形態では、フロー導管はほぼ直線状のフロー導管であってもよい。他のさらなる形状および／または形態を用いてもよく、それらもまた本明細書および請求項の技術範囲に含まれる。
【００６４】
図２には、本発明にかかるバンカー燃料移送が示されている。バンカー燃料移送には、第一のタンク３から第二のタンク４までの燃料を移送して定量することが含まれている。図２では、バンカー燃料が給油バージ１から船舶２へと移送されているが、いうまでもなく、バンカー燃料移送はいかなる燃料の移送であってもよい。また、いうまでもなく、バンカー燃料移送は、いかなる流体の移送であってもよい。それに加えて、いうまでもなく、フローメーターは、給油バージ、船舶またはその両方の場所に設けられてもよい。
【００６５】
バンカリングとは、一般的に、バンカー燃料として知られている船舶用燃料油を格納および移送する作業として知られている。船舶に給油する場合、海岸から船舶まで燃料を移送するために、大量の燃料がバージまたは他のコンテナに一時的に格納される。バンカー（燃料庫）は、ドックもしくは他のポート施設に設けられてもよいし、または、バージもしくは他の燃料補給手段によって運ばれてもよい。バンカリング時、燃料測定は、気体が燃料に混入してしまう恐れのある空−充填−空バッチプロセスを含んでいるのが一般的である。
【００６６】
バンカー燃料には、加熱にまたは大規模な産業および／もしくは船舶用のエンジンに用いられる比較的重質の石油の派生物が含まれる。バンカー燃料を構成しうる燃料には等級が複数ある。バンカー燃料は、ガソリンまたはディーゼルよりも一般的に重質でありかつ高い粘度を有している。したがって、バンカー燃料は格納中に沈殿して層状となってしまいうる。
【００６７】
バンカー燃料が移送されている最中にバンカー燃料を定量することが望ましい。従来技術では、計量は体積計量であるのが一般的である。体積計量は、体積フローメーターの使用および／または満タンにされもしくは空にされるタンクの容量の測定を含みうる。しかしながら、従来の体積計量には欠点がある。体積計量では、混入した気体も燃料油として誤って数え入れてしまう。気体の混入により、バンカー燃料の見掛け上の体積は増し、燃料についての請求を実際よりも多くしてしまうことになってしまう場合もある。気体が混入したバンカー燃料は、体積は増えるものの質量は変わらないままである。
【００６８】
気体の混入は、ポンプの運転コストを低減するためまたは燃料収益を上げるために意図的に行われる場合もあれば、キャビテーションを引き起こしうるもしくは大気中から空気を引き込みうるポンプ、弁もしくは他のデバイスの間違ったもしくは不適切な運転により意図せずに生じる場合もある。また、気体の混入は、バージの燃料タンクを空にすることを意味するストリッピングの工程中にも頻繁に生じる。バッチ処理がほぼ終了する時点で、ポンプは、タンク内に残された流体の体積が少ないために、処理用の配管の中に気体を吸い込んでしまう場合もある。タンク測定装置のないバージでは、燃料移送量として、陸地での供給量基準測定（ｓｈｏｒｅ−ｂａｓｅｄ  ｓｕｐｐｌｙ  ｒｅｆｅｒｅｎｃｅ  ｍｅａｓｕｒｅｍｅｎｔ）を用いるために、ストリッピングによりタンクを完全に空にする必要がある。
【００６９】
体積計量の他の欠点は、バンカー燃料が貯留（ｈｏｌｄｉｎｇ）中に分離して層状になる恐れがあるということである。この場合、重い成分が底に沈殿する。したがって、バンカー燃料の品質および／またはエネルギー含量はバンカー燃料の移送中に変わる恐れがある。
【００７０】
船舶用の燃料費は船舶の運用費の大部分を占めている。原油価格の上昇および環境保全努力の増大とともに、環境上の理由および財政上の理由から、注意深く燃料を管理することが重要となってきている。
【００７１】
燃料成分の組み合わせを海洋産業で用いられる正確な割合で混合することは、ある範囲の粘度および硫黄含有量で入手可能な重質燃料油（ＨＦＯまたはバンカーＣ）と中間燃料油（ＩＦＯ）とを組み合わせることを必要とする。国際規格機構（ＩＳＯ）は、世界中で船舶に用いられる船舶用燃料の仕様を提供している。燃料価格の高騰のため、異なる等級の燃料の燃焼温度に起因するエンジンの摩耗の危険性のため、また、船舶での貯蔵上の制約のため、正確に混合することは非常に重要なことである。前もって混合することにより、特定の搭載エンジンの意図した用途に対して最適な特性を有する燃料が船舶に用いられて、ＮＯｘおよびＳＯｘの排気が削減される。船舶上で燃料を混合することが規則により抑制されているため、海洋産業においては、バンカリング前に混合することが普及してきている。混合作業には、高い精度と、混入気体による影響を比較的受けないようなメーターとが必要とされることが多いため、質量フローメーターが理想的である。
【００７２】
図３は、本発明にかかる振動式フローメーター５のメーター電子機器２０を示すブロック図である。使用時、振動式フローメーター５は流体移送中に流体の量を計るべく用いられる。流体としては燃料を挙げることができる。振動式フローメーター５は、流体移送の質量流量（ｍｉ）値および／または総質量流量（ｍｔｏｔ）を測定するために用いることができる。実施形態によっては、移送が、一連の前もって決められた時間部分（ｔｉ）において測定される場合もある。前もって決められた時間部分（ｔｉ）のそれぞれは、長さが同じであってもよいしまたは同じでなくてもよい。前もって決められた時間部分（ｔｉ）は、移送中に複数の測定値が求められるように選択することができる。前もって決められた時間部分（ｔｉ）の長さは、正確かつ代表的な値が得られるように選択することができる。
【００７３】
振動式フローメーター５により振動応答信号が出力される。振動応答信号は、メーター電子機器２０によって受信され、処理され、１つ以上の流体の定量値が求められる。これらの値を、監視し、記録し、合計することができる。
【００７４】
メーター電子機器２０は、インターフェース２０１と、このインターフェース２０１と通信可能な処理システム２０３と、この処理システム２０３と通信可能な格納システム２０４とを有している。これらのコンポーネントは別個のブロックとして示されているが、いうまでもなく、メーター電子機器２０は、一体化されたおよび／または別個のコンポーネントのさまざまな組み合わせから構成されてもよい。
【００７５】
インターフェース２０１は、振動式フローメーター５のフローメーター組立体１０と通信するように構成されている。インターフェース２０１は、リード線１００（図１を参照）と結合し、ドライバー１０４およびピックオフセンサー１０５、１０５’と信号を交換するように構成されてもよい。また、インターフェース２０１は、通信路２６を介して、たとえば外部のデバイスと通信するようにさらに構成されてもよい。
【００７６】
処理システム２０３は、いかなる処理システムであってもよい。処理システム２０３は、振動式フローメーター５を動作させるために、格納されているルーチン２０５を読み出し、実行するように構成されている。格納システム２０４は、フローメータールーチン２０５、質量重み付け密度ルーチン２０９、質量重み付け粘度ルーチン２１０、質量重み付け温度ルーチン２１１、および気体混入検出ルーチン２１３などのルーチンを格納することができる。他の測定／処理ルーチンも考えられており、それらもまた本明細書および請求項の技術範囲内に含まれる。格納システム２０４は、測定値、受信値、実行値および他の情報を格納することができる。実施形態によっては、格納システムは、質量流量（ｍ）２２１、密度（ρ）２２２、粘度（μ）２２３、温度（Ｔ）２２４、質量−密度積（ｍρ）２３４、質量−粘度積（ｍμ）２３５、質量−温度積（ｍＴ）２３６、質量重み付け密度（ρｍａｓｓ−ｗｅｉｇｈｔｅｄ）２４１、質量重み付け粘度（μｍａｓｓ−ｗｅｉｇｈｔｅｄ）２４２、質量重み付け温度（Ｔｍａｓｓ−ｗｅｉｇｈｔｅｄ）２４３、気体混入限界２４４、および気体混入割合２４８を格納している場合もある。
【００７７】
フローメータールーチン２０５は、流体の定量値および流量測定値を求め、格納することができる。これらの値は、実質的に瞬間的な測定値であってもよいし、または、合計されたもしくは累積された値であってもよい。たとえば、フローメータールーチン２０５は、質量流量測定値を求め、それらを質量流量（ｍ）格納装置２２１に格納することができる。フローメータールーチン２０５は、密度測定値を求め、それらを密度（ρ）格納装置２２２に格納することができる。上述のようにおよび当該技術分野において公知となっているように、質量流量（ｍｉ）および密度（ρｉ）の値は振動応答から求められる。質量流量（ｍｉ）は、実質的に瞬間的な質量流量の値であってもよいし、質量流量サンプルであってもよいし、時間部分（ｔｉ）における平均質量流量であってもよいし、時間部分（ｔｉ）における累積質量流量であってもよい。それに加えて、他の質量流量定量化も考えられており、それらもまた本明細書および請求項の技術範囲に含まれる。
【００７８】
フローメータールーチン２０５は、温度測定値を求め、または受け取り、それらを温度（Ｔ）格納装置２２４に格納することができる。フローメータールーチン２０５は、粘度測定値を求め、または受け取り、それらを粘度（μ）格納装置２２３に格納することができる。
【００７９】
実施形態によっては、振動式フローメーター５は粘度測定を行なうように構成されている場合もある。このような振動式フローメーターの１つが、本譲受人に譲渡されている同時係属中の米国特許出願公開第２００８／０１８４８１３号に開示されている。米国特許出願公開第２００８／０１８４８１３号は参照することにより本明細書に援用されるものとする。
【００８０】
あるいは、他の実施形態では、フローメータールーチン２０５は、外部の供給源から粘度値を受け取り、受け取った値を粘度（μ）格納装置２２３に格納する場合もある。外部の供給源は、別個の粘度計であってもよいし、オペレータの入力によるものであってもよいし、格納された値であってもよいし、他の供給源であってもよい。
【００８１】
実施形態によっては、メーター電子機器２０は質量重み付け密度ルーチン２０９を実行するように構成されている場合もある。振動式フローメーター５がフローメーター組立体１０の振動により質量流量（ｍｉ）および密度（ρｉ）を測定している状態で、質量重み付け密度ルーチン２０９が、流体移送の前もって決められた時間部分（ｔｉ）における質量流量（ｍｉ）および密度（ρｉ）を測定し、当該前もって決められた時間部分（ｔｉ）における質量−密度積（ｍｉρｉ）を求め、流体移送の気体混入のない時間部分すべてにおける質量流量（ｍｉ）および質量−密度積（ｍｉρｉ）の値を累積して累積質量流量（ｍａｃｃｕｍ）および累積質量−密度積（ｍρａｃｃｕｍ）を算出し、累積質量−密度積（ｍρａｃｃｕｍ）を累積質量流量（ｍａｃｃｕｍ）で除算することにより、流体移送の気体混入のない質量重み付け密度（ρｍａｓｓ−ｗｅｉｇｈｔｅｄ）を求めるように構成されている。気体混入のない質量重み付け密度値（ρｍａｓｓ−ｗｅｉｇｈｔｅｄ）は、質量重み付け密度格納装置２３８に格納することができる。この処理により、質量−密度積格納装置２３４に格納することができる累積質量−密度積（ｍρａｃｃｕｍ）をさらに求めてもよい。したがって、この処理は、次の式に従って質量重み付け密度（ρｍａｓｓ−ｗｅｉｇｈｔｅｄ）を算出する：
【００８２】
【数１】
0005509327.tif 000002
【００８３】
質量重み付け密度（ρｍａｓｓ−ｗｅｉｇｈｔｅｄ）は、平均（ａｖｅｒａｇｅ）密度に類似し、流体移送における密度を表わしているが、気体混入のない時間部分の密度測定値しか考慮に入れられていない。気体混入のある時間部分からの測定密度は除外されている。というのは、気体混入のある測定密度は、不正確かつ信頼性の低いものである可能性が高いからである。また、質量重み付け量は、時間平均されたまたは周期的にサンプリングされた基本的な密度よりも優れたものである。というのは、質量重み付け量が、購入された燃料の質量に対する本当の平均量を表しているからである。時間平均アルゴリズムは流量の変動に対して敏感であり、また、周期的なサンプリングシステムはタンクの層状化に起因する密度の変動に対して敏感である。
【００８４】
いうまでもなく、典型的なバッチ式の質量合計手法で動作するコリオリメーターは、質量流量（ｍｉ）の測定値をすべて加えて総質量流量（ｍｔｏｔ）を算出できるように動作する。このことが達成可能な理由は、気体の質量が小さく、気体が混入してしまったとしても、コリオリ質量流量計として動作する振動式フローメーター５によってなされる質量流量の測定結果の精度に対して通常影響を与えないからである。しかしながら、振動式フローメーター５が密度計または粘度計として動作する場合には、流体への気体の混入は、密度および粘度の測定結果（および、場合によっては温度の測定結果）に対して影響を与え精度を低下させる恐れがある。この理由により、質量−密度積、質量−粘度積および／または質量−温度積は気体混入のある時間部分では合計されない。
【００８５】
実施形態によっては、メーター電子機器２０は質量重み付け粘度ルーチン２１０を実行するように構成されている。振動式フローメーター５がフローメーター組立体１０の振動により少なくとも質量流量（ｍｉ）を測定している状態で、質量重み付け粘度ルーチン２１０は、質量流量（ｍｉ）を測定し、流体移送の前もって決められた時間部分（ｔｉ）における流体粘度（μｉ）を取得し、前もって決められた時間部分（ｔｉ）における質量−粘度積（ｍｉμｉ）を求め、流体移送の気体混入のない前もって決められた時間部分における、質量流量（ｍｉ）および質量−粘度積（ｍｉμｉ）の値をすべて累積して累積質量流量（ｍａｃｃｕｍ）および累積質量−粘度積（ｍμａｃｃｕｍ）を算出し、累積質量−粘度積（ｍμａｃｃｕｍ）を累積質量流量（ｍａｃｃｕｍ）で除算することにより、流体移送における気体混入のない質量重み付け粘度（μｍａｓｓ−ｗｅｉｇｈｔｅｄ）を求めるように構成されている。この気体混入のない質量重み付け粘度値（μｍａｓｓ−ｗｅｉｇｈｔｅｄ）は、質量重み付け粘度格納装置２３９に格納することができる。これらの粘度測定値は、流動流体が移送されているときの流動流体の品質または等級を反映することができる。この処理は、質量−粘度積格納装置２３５に格納することができる累積質量−粘度積（ｍμａｃｃｕｍ）をさらに求めてもよい。したがって、この処理は、次の式に従って質量重み付け粘度（μｍａｓｓ−ｗｅｉｇｈｔｅｄ）を算出する：
【００８６】
【数２】
0005509327.tif 000003
【００８７】
質量重み付け粘度（μｍａｓｓ−ｗｅｉｇｈｔｅｄ）は、平均粘度に類似し、流体移送の全体の粘度を表わしうるが、気体混入のない時間部分における粘度測定値のみ考慮している。気体混入のある時間部分からの粘度測定値は除外することができる。というのは、気体混入のある粘度の測定値は、不正確かつ信頼性の低いものである可能性が高いからである。
【００８８】
実施形態によっては、メーター電子機器２０は質量重み付け温度ルーチン２１１を実行するように構成されている。振動式フローメーター５がフローメーター組立体１０の振動により少なくとも質量流量（ｍｉ）を測定している状態で、質量重み付け温度ルーチン２１１は、流体移送の前もって決められた時間部分における質量流量（ｍｉ）および温度（Ｔｉ）を測定し、前もって決められた時間部分（ｔｉ）における質量−温度積（ｍｉＴｉ）を求め、流体移送の気体混入のない前もって決められた時間部分における質量流量（ｍｉ）および質量−温度積（ｍｉＴｉ）の値をすべて累積して累積質量流量（ｍａｃｃｕｍ）および累積質量−温度積（ｍＴａｃｃｕｍ）を算出し、累積質量−温度積（ｍＴａｃｃｕｍ）を累積質量流量（ｍａｃｃｕｍ）で除算することにより、流体移送の気体混入のない質量重み付け温度（Ｔｍａｓｓ−ｗｅｉｇｈｔｅｄ）を求めるように構成されている。この気体混入のない質量重み付け温度値（Ｔｍａｓｓ−ｗｅｉｇｈｔｅｄ）は、質量重み付け温度格納装置２４３に格納することができる。この処理により、質量−温度積格納装置２３６に格納することができる累積質量−温度積（ｍＴａｃｃｕｍ）をさらに算出してもよい。したがって、この処理は、次の式に従って質量重み付け温度（Ｔｍａｓｓ−ｗｅｉｇｈｔｅｄ）を算出する：
【００８９】
【数３】
0005509327.tif 000004
【００９０】
質量重み付け温度（Ｔｍａｓｓ−ｗｅｉｇｈｔｅｄ）は、平均温度に類似し、流体移送の全体の温度を表わしうるが、気体混入のない時間部分の温度測定値のみ考慮している。気体混入のある時間部分からの温度測定値は除外することができる。
【００９１】
実施形態によっては、メーター電子機器２０は気体混入検出ルーチン２１３を実行するように構成されている場合もある。気体混入検出ルーチン２１３は、流体移送の実質的な気体混入を検出するためにフローメーターの値を処理する。この検出は、各時間部分（ｔｉ）中の如き流体移送中に実質的に連続して実行することができる。気体混入検出ルーチン２１３は、流体移送中に振動式フローメーター５のフローメーター組立体１０を振動させ、流体移送の各時間部分（ｔｉ）の振動応答を気体混入限界２４４と比較し、振動応答が気体混入限界２４４を超えていない場合、その時間部分（ｔｉ）が気体混入のある時間部分であると判定するように構成されている。気体混入限界２４４は、ある範囲であってもよく、この範囲を超えている場合には、流体に気体が混入していないと考えられるまたは最小限に（たとえば、容認可能に）気体が混入していると考えられる。
【００９２】
実施形態によっては、気体混入限界２４４はドライブ利得限界である場合もある。現在のドライブ利得はドライブ利得限界と比較されるようになっている。ドライブ利得は、ある与えられたドライブ入力に対する応答量を定量化したものである。ドライブ利得は、ピックオフ応答振幅をドライバー振動振幅で除算したものであり、この値は、瞬間的なものであってもよいし、または、前もって決められた時間部分（ｔｉ）にわたって平均されたものまたは積分されたものであってもよい。通常、ドライブ利得は、純粋な流体の場合には約１０〜３０パーセントで安定しており、混入ガスが流動流体の中に混入するとともに著しく上昇する。ドライブ利得が気体混入限界２４４の条件を満たしていない場合、メーター電子機器２０は流体に気体が混入したと判定することができる。たとえば、ドライブ利得の値が気体が混入するとともに大きくなる場合には、ドライブ利得が気体混入限界２４４を超えると、ドライブ利得は気体混入限界２４４の条件を満たしていないとしうる。
【００９３】
実施形態によっては、気体混入限界２４４は最小応答振幅である場合もある。最小応答振幅は、ピックオフセンサー１０５、１０５’によって求められる振動応答振幅と相関する。流動流体に空気が混入するとともにピックオフ振幅が減少することが知られている。ピックオフ振幅が気体混入限界２４４の条件を満たさない場合、メーター電子機器２０は、流体に気体が混入していると判定することができる。たとえば、気体の混入とともにピックオフ振幅の値が減少する場合には、ピックオフ振幅が気体混入限界２４４未満であるときに、ピックオフ振幅は気体混入限界２４４の条件を満たしていないとしうる。
【００９４】
実施形態によっては、気体混入限界２４４は、流体の最小密度限界である場合もある。前もって決められた気体混入密度限界は、たとえばバンカー燃料内の空気の如き、流体への気体混入の許容可能なレベルであってもよい。したがって、測定された密度（ρｉ）を、気体混入限界２４４と比較することができる。測定密度（ρｉ）が気体混入限界２４４の条件を満たしていない場合、メーター電子機器２０は、流体に気体が混入していると判定することができる。たとえば、気体の混入とともに流体密度が減少する場合には、測定密度（ρｉ）が気体混入限界２４４未満であるときに、測定密度（ρｉ）は気体混入限界２４４の条件を満たしていないとしうる。
【００９５】
気体混入は、フローメーターのドライブモードの周波数応答関数の形状から見出される減衰推定値に基づいて検出されるようになっていてもよい。たとえば、周波数応答グラフ内のドライブモードピークの幅が、気体が存在するか否かの判定の補助となりうる。幅広いピークは、より減衰が大きいことを意味するので、気体の存在を示す。したがって、減衰推定値／ドライブモードピーク幅を気体混入限界２４４と比較することができる。減衰推定値／ドライブモードピーク幅が気体混入限界２４４の条件を満たさない場合、メーター電子機器２０は、流体に気体が混入していると判定することができる。たとえば、気体の混入とともに減衰が大きくなる場合には、減衰推定値／ドライブモードピーク幅が気体混入限界２４４を超えているときに、減衰推定値／ドライブモードピーク幅が気体混入限界２４４の条件を満たしていないとしうる。
【００９６】
あるいは、３ｄＢ減少ポイントが用いられてもよい。３ｄＢ減少ポイントとは、特定の共振外れ振動数におけるピーク幅のことであって、特定の振動応答振幅に相当する。したがって、３ｄＢ減少ポイントを気体混入限界２４４と比較することができる。３ｄＢ減少ポイントが気体混入限界２４４の条件を満たしていない場合、メーター電子機器２０は、流体に気体が混入していると判定することができる。たとえば、気体の混入とともに３ｄＢ減少ポイントの大きさが減少する場合には、３ｄＢ減少ポイントが気体混入限界２４４未満であるときに、３ｄＢ減少ポイントは気体混入限界２４４の条件を満たしていないとしうる。
【００９７】
気体の混入につれて流れの（フロー）ノイズが大きくなるので、コリオリメーターからの質量流量、密度または他の測定値の標準偏差を解析することにより気体の存在を検出することも可能である。大きな標準偏差は気体混入の増大を示しうる。したがって、流れのノイズ（または、他の外乱）に起因する流れに関する測定値の標準偏差を気体混入限界２４４と比較することができる。標準偏差が気体混入限界２４４の条件を満たしていない場合、メーター電子機器２０は流体に気体が混入していると判定することができる。たとえば、標準偏差が気体混入限界２４４を超えている場合、標準偏差は気体混入限界２４４の条件を満たしていないと考えられる。
【００９８】
実施形態によっては、気体混入割合が求められ、気体混入割合格納装置２４８に格納される場合もある。気体混入割合は、移送された流体のうち気体が混入している流体の割合を表し、流体の品質を表すもう一つのインジケータとして機能することができる。実施形態によっては、気体の混入が検出されている時間部分（ｔｉ）における質量流量（ｍｉ）の値が合計される場合もある。気体混入のある質量（ｍａｅｒａｔｅｄ）を総質量（ｍｔｏｔ）で除算することにより、気体混入質量割合（ｍａｅｒａｔｅｄ／ｍｔｏｔ）、すなわち移送された質量のうちの気体が混入している質量の割合を示すものを提供することができる。あるいはたとえば、気体混入のある時間部分を合計し、次いで総移送時間で除算することにより、気体混入時間割合を算出することができる。他の気体混入割合の定量化も考えられており、それらもまた本明細書および請求項の技術範囲に含まれる。
【００９９】
質量流量の測定が流体への気体の混入により悪影響を受けないため、質量測定は、体積流量に比べ、流体移送についてより良好な、かつより正確な測定を提供する。質量流量測定が流体移送体積を導出すべく用いられる場合もある。この場合、質量流量測定結果は、移送体積測定結果、タンク満タン測定結果などと照合される。総質量測定は、従来の体積測定とは対照的に、移送された燃料のエネルギー含有量についてのより良好な、かつより正確な測定を提供する。従来の体積測定は、温度または他の周囲条件に起因するいかなる膨張または収縮をも考慮に入れていない。従来の体積測定は、燃料のいかなる気体混入をも考慮に入れていない。
【０１００】
図４は、本発明に従って移送される流体のための流体定量化方法を示すフローチャート４００である。この方法は、前もって決められた時間部分（ｔｉ）において測定を行うことを含んでいる。ステップ４０１では、現在の前もって決められた時間部分（ｔｉ）における質量流量（ｍｉ）、密度（ρｉ）および温度（Ｔｉ）の値が測定される。上述し、かつ当該技術分野において公知となっているように、質量流量（ｍｉ）および密度（ρｉ）の値は振動応答から求められる。
【０１０１】
ステップ４０１は、流体移送工程の開始を含んでいてもよい。それに加えて、ステップ４０１は、流体移送工程中にいつでも得られる繰り返し測定ステップを含んでいてもよい。
【０１０２】
前もって決められた時間部分（ｔｉ）の長さは、移送最中の流体を適切に特徴づけるいかなる所望の長さであってもよい。一連の前もって決められた時間部分（ｔｉ）は、その長さが実質的に均一であることが好ましいが、均一または一貫性のあるものでなければならないというわけではない。
【０１０３】
ステップ４０２では、粘度（μｉ）の値が得られる。粘度（μｉ）は測定されてもよい。あるいは、粘度（μｉ）は、粘度計、またはフローメーターもしくは配管の前後の差圧測定の如き外部の測定源から受け取られてもよい。
【０１０４】
ステップ４０３では、質量−密度積（ｍｉρｉ）は、質量流量（ｍｉ）および密度（ρｉ）の測定値から求められる。質量−粘度積（ｍｉμｉ）は、質量流量（ｍｉ）および粘度（μｉ）の測定値から求められる。質量−温度積（ｍｉＴｉ）は、質量流量（ｍｉ）および温度（Ｔｉ）の測定値から求められる。質量流量（ｍｉ）、密度（ρｉ）、質量−密度積（ｍｉρｉ）、質量−粘度積（ｍｉμｉ）、および質量−温度積（ｍｉＴｉ）の値は、直前の値に加えて行き、累積することができる。あるいは、質量流量（ｍｉ）、密度（ρｉ）、質量−密度積（ｍｉρｉ）、質量−粘度積（ｍｉμｉ）、および質量−温度積（ｍｉＴｉ）の値は、後述されるように選択的に累積されてもよい。
【０１０５】
ステップ４０４では、現在の時間部分（ｔｉ）における流体移送が実質的に気体混入のないものである場合、当該方法はステップ４０５に進む。そうでなく、流体に気体が混入していると判定された場合、当該方法は、分岐され、ステップ４０１へ戻り、質量流量（ｍｉ）、密度（ρｉ）、質量−密度積（ｍｉρｉ）、質量−粘度積（ｍｉμｉ）、および質量−温度積（ｍｉＴｉ）の値は、累積されない。その代わりに、次の前もって決められた時間部分（ｔｉ＋１）で、新たな値が取得されるようになっている。しかしながら、いうまでもなく、所望ならば、測定値をなんらかの方法で記録することで、他の用途に利用可能なものとしてもよい。
【０１０６】
他の実施形態では、流体に気体が実質的に混入していると判定された場合、現在の時間部分（ｔｉ）における測定が実行されないだけであってもよい。この実施形態では、第一のステップとして、ステップ４０３が実行され、気体混入が検出された場合、折り返して自分のところに戻り、気体混入が検出された場合にステップ４０１、４０２、４０３の測定／取得がスキップされてもよい。質量流量（ｍｉ）、密度（ρｉ）、質量−密度積（ｍｉρｉ）、質量−粘度積（ｍｉμｉ）、および質量−温度積（ｍｉＴｉ）の値は、単に無視されることで、処理時間が節約されてもよい。
【０１０７】
ステップ４０５では、質量流量（ｍｉ）、密度（ρｉ）、質量−密度積（ｍｉρｉ）、質量−粘度積（ｍｉμｉ）、および質量−温度積（ｍｉＴｉ）の値は、累積され、流体移送における現在までの対応する合計値に加えられる。実施形態によっては、流体移送が完了すると、累積質量流量（ｍａｃｃｕｍ）が、移送された気体混入のない流体の質量を表している場合もある。流体移送が完了すると、移送された流体のミーン平均（ｍｅａｎ）密度、平均（ａｖｅｒａｇｅ）密度、重み付け（ｗｅｉｇｈｔｅｄ）密度または質量重み付け（ｍａｓｓ−ｗｉｇｈｔｅｄ）密度を求めるために総密度（ρｔｏｔ）を処理することができる。移送最中の流体が均質なものでない場合もあるので、質量重み付け密度が望ましい。流体移送全体にわたる密度の測定量または定量化が、平均された密度よりも有用である場合もある。さらに、流体移送の気体混入のある１つ以上の部分の質量値および／または密度値を除去することにより、流体の歪曲、あるいは誤った特徴づけを回避しうる。流体に気体が大量に混入した場合、密度測定値が影響を受けることとなる。気体が混入すると、移送される流体の量が減少してしまうだけでなく、気体の混入に起因して、振動式フローメーターが不正確な密度測定値を求めてしまうことになる。
【０１０８】
このことは、体積流量測定と比べた場合の質量流量測定の利点である。従来の体積流量測定は、移送最中の大量の流体を測定するものの、流体に空気が混入した場合、流体の不正確な量を表すことになる。
【０１０９】
ステップ４０６では、当該方法が完了すると、すなわち流体移送が完了すると、当該方法はステップ４０７に進む。そうでなく、流体移送が完了していない場合、当該方法は、分岐し、ステップ４０１に戻る。このように、測定工程は、流体移送工程全体にわたって繰り返し実行される。
【０１１０】
流体移送終了信号が振動式フローメーターで受信されることをもって、流体移送の完了としてもよい。流体移送終了信号は、オペレータまたは他のデバイスから受信されてもよい。あるいは、振動式フローメーターが、自発的に流体移送の終了を判定し、流体移送終了信号を生成してもよい。実施形態によっては、質量流量が、前もって決められた時間よりも長い時間にわたって、前もって決められた移送限界未満である場合、振動式フローメーターは、流体移送終了信号を自発的に生成しうる。
【０１１１】
ステップ４０７では、流体移送が完了すると、流体移送全体にわたる値が求められる。流体移送における気体混入のない質量重み付け密度（ρｍａｓｓ−ｗｅｉｇｈｔｅｄ）を求めることができる。この気体混入のない質量重み付け密度（ρｍａｓｓ−ｗｅｉｇｈｔｅｄ）とは、累積質量−密度積（ｍρａｃｃｕｍ）を累積質量流量（ｍａｃｃｕｍ）で除算したものとしうる。これは、上述の式（１）により表わすことができる。実施形態によっては、気体混入のない質量重み付け密度（ρｍａｓｓ−ｗｅｉｇｈｔｅｄ）は、気体混入のない流体の部分のみから求められた密度である場合もある。したがって、気体混入のない質量重み付け密度（ρｍａｓｓ−ｗｅｉｇｈｔｅｄ）は、流体になんらかの気体が混入している場合には、その流体についてより正確な密度を表す。流体に気体が混入していないと判定された場合、質量重み付け密度（ρｍａｓｓ−ｗｅｉｇｈｔｅｄ）は、流体移送全体にわたる平均密度と実質的に一致することになる。
【０１１２】
流体移送における気体混入のない質量重み付け粘度（μｍａｓｓ−ｗｅｉｇｈｔｅｄ）を求めることができる。気体混入のない質量重み付け粘度（μｍａｓｓ−ｗｅｉｇｈｔｅｄ）は、累積質量−粘度積（ｍμａｃｃｕｍ）を累積質量流量（ｍａｃｃｕｍ）で除算したものとしうる。これは、上述の式（２）によって表わすことができる。実施形態によっては、気体混入のない質量重み付け粘度（μｍａｓｓ−ｗｅｉｇｈｔｅｄ）は、気体混入のない流体の部分のみから求められた粘度である場合もある。
【０１１３】
流体移送における気体混入のない質量重み付け温度（Ｔｍａｓｓ−ｗｅｉｇｈｔｅｄ）を求めることができる。気体混入のない質量重み付け温度（Ｔｍａｓｓ−ｗｅｉｇｈｔｅｄ）は、累積質量−温度積（ｍＴａｃｃｕｍ）を累積質量流量（ｍａｃｃｕｍ）で除算したものとしうる。これは、上述の式（３）によって表わすことができる。実施形態によっては、気体混入のない質量重み付け温度（Ｔｍａｓｓ−ｗｅｉｇｈｔｅｄ）は、気体混入のない流体の部分のみから求められた温度である場合もある。
【０１１４】
ステップ４０８では、気体混入のない質量重み付け温度（Ｔｍａｓｓ−ｗｅｉｇｈｔｅｄ）を用いて温度補償を実行することができる。たとえば、計算された質量重み付け密度（ρｍａｓｓ−ｗｅｉｇｈｔｅｄ）を温度補償して標準温度における質量重み付け密度の値を求めることができる。それに加えてまたはそれに代えて、質量重み付け粘度（μｍａｓｓ−ｗｅｉｇｈｔｅｄ）が温度補償されてもよい。このことは、バンカー燃料または他の燃料製品について米国石油研究所（ＡＰＩ）から入手可能な１つ以上のテーブルを用いることの如き既知の方法を用いて行うことができる。テーブルを用いる方法では、質量重み付け密度および質量重み付け温度を用いて対応する基準密度値が求められる。質量重み付け粘度および質量重み付け温度を用いて対応する標準粘度値が求められる。このようなテーブルは、ある与えられた温度での値を基準温度での値に変換するために用いることができる。基準温度での値は、バンカー燃料または他の流体の品質を判断するために、計算された質量重み付け密度および／または計算された質量重み付け粘度を基準値と比較するのに役立つ。このように、バンカー燃料の相対的品質を評価することができる、計算された質量重み付け密度／粘度が、基準値から有為にずれている場合、バンカー燃料（または他の流体）の品質は劣悪、すなわち受け入れがたいものでありうる。
【０１１５】
ステップ４０９では、上述のように、気体混入割合が求められる。
【０１１６】
所望ならば、複数の利点を提供するため、本発明にかかるメーター電子機器および流体定量化方法を任意の実施形態に従って用いることができる。かかるメーター電子機器および流体定量化方法は、気体が混入している可能性のある流体をより高い信頼度で測定することができる。かかるメーター電子機器および流体定量化方法は、流体の特性がバッチ処理中に変わる場合であっても、その流体の特性をより正確に測定することができる。得られる質量流量測定結果は、周囲の温度または圧力によって影響されない。かかるメーター電子機器および流体定量化方法は、流体移送についての測定をより正確に行うことができる。当該測定は気体の混入によって影響されない。かかるメーター電子機器および流体定量化方法は、流体に気体が混入していることを検出できる。かかるメーター電子機器および流体定量化方法は、燃料のエネルギー含有量のよりよい測定を提供できる。かかるメーター電子機器および流体定量化方法は、体積測定値／推定値を照合確認（ｃｒｏｓｓ−ｃｈｅｃｋ）できる、かかるメーター電子機器および流体定量化方法は、移送中の流体の変化の測定および記録を行うことができる。
【図１】
0005509327.tif 000005
【図２】
0005509327.tif 000006
【図３】
0005509327.tif 000007
【図４】
0005509327.tif 000008